(57)【要約】  差動コネクタおよびその差動対配置構造ならびに差動コネクタプラグであって、電気コネクタ分野に係る。当該差動コネクタプラグは、２つ以上の積層されている信号モジュール（１）を含む。２つずつの信号モジュールの組み合わせで信号モジュール対を形成し、同一の信号モジュール対の２つの信号モジュールは、それぞれ第１信号モジュール（１４）、第２信号モジュール（１５）を構成する。第１信号モジュール、第２信号モジュールの少なくとも１つの差動対は、それぞれ第１差動対、第２差動対である。第１差動対、第２差動対の差動対接触部品は、それぞれ第１差動対接触部品（１４１）、第２差動対接触部品（１５１）である。第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有する。当該差動コネクタプラグは、別途に遮断板を設けることを必要とせず、構造が簡単であり、現在の差動コネクタ構造が複雑である故に装着効率が低く、加工コストが高いという問題を解決した。【選択図】図５
2019517101.tif 000002
【特許請求の範囲】
【請求項１】
２つの差動対接触部品を含む差動対を含む信号モジュールが２つ以上積層されている差動コネクタプラグにおいて、
２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、
少なくとも１つの信号モジュール対の第１信号モジュールと第２信号モジュールとは、
第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たすことを特徴とする差動コネクタプラグ。
【請求項２】
同一の信号モジュール対で、第１信号モジュールと第２信号モジュールとは、隣接して設けられている、
ことを特徴とする請求項１に記載の差動コネクタプラグ。
【請求項３】
前記第１信号モジュール、第２信号モジュールは、交替して配置されている、
ことを特徴とする請求項２に記載の差動コネクタプラグ。
【請求項４】
前記第１信号モジュール、第２信号モジュールは、それぞれ差動コネクタプラグの奇数層の信号モジュール、偶数層の信号モジュールから構成され、
奇数層の信号モジュールの構造が同一であり、偶数層の信号モジュールの構造が同一である、
ことを特徴とする請求項３に記載の差動コネクタプラグ。
【請求項５】
同一の信号モジュール対で、少なくとも１つの第１差動対のうちの２つの第１差動対接触部品の両方と、第２差動対接触部品と、は、第１信号モジュール、第２信号モジュールの積層方向での投影に交差点を有する、
ことを特徴とする請求項１〜４のいずれか１項に記載の差動コネクタプラグ。
【請求項６】
同一の信号モジュール対で、少なくとも１つの第２差動対接触部品と２つ以上の第１差動対接触部品とは、第１信号モジュール、第２信号モジュールの積層方向での投影にそれぞれ交差点を有する、
ことを特徴とする請求項１〜４のいずれか１項に記載の差動コネクタプラグ。
【請求項７】
同一の信号モジュール対での第１差動対と第２差動対とは一対一に対応し、
前記交差点は、対応する差動対の第１信号モジュール、第２信号モジュールの積層方向での投影に形成される、
ことを特徴とする請求項１〜４のいずれか１項に記載の差動コネクタプラグ。
【請求項８】
第１信号モジュール、第２信号モジュールの積層方向で、交差点を有する第１差動対接触部品、第２差動対接触部品の投影は、Ｘ形状に交差する、
ことを特徴とする請求項１〜４のいずれか１項に記載の差動コネクタプラグ。
【請求項９】
同一信号モジュール対の第１信号モジュール、第２信号モジュールにおける挿接端に近い先端部は、第１信号モジュール、第２信号モジュールの積層方向での投影に重なる部分を有し、および／または、同一信号モジュール対の第１信号モジュール、第２信号モジュールにおける挿接端から遠い末端部は、第１信号モジュール、第２信号モジュールの積層方向での投影に重なる部分を有する、
ことを特徴とする請求項１〜４のいずれか１項に記載の差動コネクタプラグ。
【請求項１０】
同一の信号モジュール対で、少なくとも１つの第１差動対の２つの第１差動対接触部品のうちの１つと、少なくとも１つの第２差動対の２つの第２差動対接触部品のうちの１つと、は、第１信号モジュール、第２信号モジュールの積層方向での投影に少なくとも２つの交差点を有する、
ことを特徴とする請求項１〜４のいずれか１項に記載の差動コネクタプラグ。
【請求項１１】
２つの第１差動対接触部品を含む第１差動対と、２つの第２差動対接触部品を含む第２差動対と、が積層されている差動対配置構造において、
２つの第１差動対接触部品のうちの少なくとも１つと、２つの第２差動対接触部品のうちの少なくとも１つと、は、第１信号モジュール、第２信号モジュールの積層方向での投影に交差点を有する、
ことを特徴とする差動対配置構造。
【請求項１２】
前記２つの第１差動対接触部品のうちの一方と、２つの第２差動対接触部品のうちの一方と、は、第１信号モジュール、第２信号モジュールの積層方向での投影に交差点を有し、２つの第１差動対接触部品のうちの他方と、２つの第２差動対接触部品のうちの他方と、は、第１信号モジュール、第２信号モジュールの積層方向での投影に交差点を有する、
ことを特徴とする請求項１１に記載の差動対配置構造。
【請求項１３】
第１信号モジュール、第２信号モジュールの積層方向で、前記第１差動対と第２差動対との投影は、Ｘ形状である、
ことを特徴とする請求項１１に記載の差動対配置構造。
【請求項１４】
前記２つの第１差動対接触部品のうちの一方と、２つの第２差動対接触部品と、は、第１信号モジュール、第２信号モジュールの積層方向での投影にそれぞれ交差点を有し、２つの第１差動対接触部品のうちの他方と、２つの第２差動対接触部品のうちの１つと、は、第１信号モジュール、第２信号モジュールの積層方向での投影に交差点を有する、
ことを特徴とする請求項１１に記載の差動対配置構造。
【請求項１５】
前記２つの第１差動対接触部品のうちの少なくとも一方と、１つの第２差動対接触部品と、は、第１信号モジュール、第２信号モジュールの積層方向での投影に少なくとも２つの交差点を有する、
ことを特徴とする請求項１１に記載の差動対配置構造。
【請求項１６】
差動コネクタソケットと、２つの差動対接触部品を含む差動対を含む信号モジュールが２つ以上積層されている差動コネクタプラグと、を含む差動コネクタにおいて、
２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、
少なくとも１つの信号モジュール対の第１信号モジュールと第２信号モジュールとは、第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たす、
ことを特徴とする差動コネクタ。
【請求項１７】
同一の信号モジュール対で、第１信号モジュールと第２信号モジュールとは、隣接して設けられている、
ことを特徴とする請求項１６に記載の差動コネクタ。
【請求項１８】
前記第１信号モジュール、第２信号モジュールは、交替して配置されている、
ことを特徴とする請求項１７に記載の差動コネクタ。
【請求項１９】
前記第１信号モジュール、第２信号モジュールは、それぞれ差動コネクタプラグの奇数層の信号モジュール、偶数層の信号モジュールから構成され、
奇数層の信号モジュールの構造が同一であり、偶数層の信号モジュールの構造が同一である、
ことを特徴とする請求項１８に記載の差動コネクタ。
【請求項２０】
同一の信号モジュール対で、少なくとも１つの第１差動対のうちの２つの第１差動対接触部品の両方と、第２差動対接触部品と、は、第１信号モジュール、第２信号モジュールの積層方向での投影に交差点を有する、
ことを特徴とする請求項１６〜１９のいずれか１項に記載の差動コネクタ。
【請求項２１】
同一の信号モジュール対で、少なくとも１つの第２差動対接触部品と、２つ以上の第１差動対接触部品と、は、第１信号モジュール、第２信号モジュールの積層方向での投影にそれぞれ交差点を有する、
ことを特徴とする請求項１６〜１９のいずれか１項に記載の差動コネクタ。
【請求項２２】
同一の信号モジュール対での第１差動対と第２差動対とは一対一に対応し、
前記交差点は、対応する差動対の第１信号モジュール、第２信号モジュールの積層方向での投影に形成される、
ことを特徴とする請求項１６〜１９のいずれか１項に記載の差動コネクタ。
【請求項２３】
第１信号モジュール、第２信号モジュールの積層方向で、交差点を有する第１差動対接触部品、第２差動対接触部品の投影は、Ｘ形状に交差する、
ことを特徴とする請求項１６〜１９のいずれか１項に記載の差動コネクタ。
【請求項２４】
同一信号モジュール対の第１信号モジュール、第２信号モジュールにおける挿接端に近い先端部は、第１信号モジュール、第２信号モジュールの積層方向での投影に重なる部分を有し、および／または、同一信号モジュール対の第１信号モジュール、第２信号モジュールにおける挿接端から遠い末端部は、第１信号モジュール、第２信号モジュールの積層方向での投影に重なる部分を有する、
ことを特徴とする請求項１６〜１９のいずれか１項に記載の差動コネクタ。
【請求項２５】
同一の信号モジュール対で、少なくとも１つの第１差動対の２つの第１差動対接触部品のうちの１つと、少なくとも１つの第２差動対の２つの第２差動対接触部品のうちの１つと、は、第１信号モジュール、第２信号モジュールの積層方向での投影に少なくとも２つの交差点を有する、
ことを特徴とする請求項１６〜１９のいずれか１項に記載の差動コネクタ。
【発明の詳細な説明】
【技術分野】
【０００１】
本発明は、電気コネクタ分野に係り、特に差動コネクタおよびその差動対配置構造ならびに差動コネクタプラグに関する。
【背景技術】
【０００２】
現在の差動電気コネクタは、主に高速・高品質の信号伝送に用いられ、主にハウジングと信号モジュールとを含む。信号モジュールは、絶縁体と、絶縁体に固定された接触部品と、を含む。接触部品は、差動対と接地接触部品とを含む。１つの差動コネクタに少なくとも２つの信号モジュールを含む。
【０００３】
例えば特許文献１に開示されている差動コネクタは、一種の差動コネクタプラグに相当する。ここで、差動コネクタは、積層されている少なくとも２つの信号モジュールを含む。信号モジュールは、絶縁基板と、絶縁基板に装着されている差動対および接地接触部品と、を含む。差動対は、２つの差動対接触部品を含む。各信号モジュールの差動対の差動対接触部品は、信号モジュールの積層方向での投影が重なり合う。このような構造の差動対配置構造は、外部信号からの干渉を受けやすい。
【先行技術文献】
【特許文献】
【０００４】
【特許文献１】中国特許第１０２９６９６２１号明細書
【発明の概要】
【発明が解決しようとする課題】
【０００５】
本発明の目的は、現在の差動コネクタプラグが外部信号から干渉を受けやすいという問題を解決するための差動コネクタプラグを提供することである。また、本発明の目的は、さらに、上記差動コネクタプラグを用いた差動コネクタおよび上記差動コネクタに用いられる差動対配置構造を提供することである。
【課題を解決するための手段】
【０００６】
上記目的を実現するために、本発明の差動コネクタプラグの第１の観点として、２つの差動対接触部品を含む差動対を含む信号モジュールが２つ以上積層されている差動コネクタプラグにおいて、２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、少なくとも１つの信号モジュール対の第１信号モジュールと第２信号モジュールとは、第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たす。
【０００７】
本発明の差動コネクタプラグの第２の観点として、本発明の差動コネクタプラグの第１の観点に記載した差動コネクタプラグにおいて、同一の信号モジュール対で、第１信号モジュール、第２信号モジュールは、隣接して設けられている。
【０００８】
本発明の差動コネクタプラグの第３の観点として、本発明の差動コネクタプラグの第２の観点に記載した差動コネクタプラグにおいて、前記第１信号モジュール、第２信号モジュールは、交替して配置されている。
【０００９】
本発明の差動コネクタプラグの第４の観点として、本発明の差動コネクタプラグの第３の観点に記載した差動コネクタプラグにおいて、前記第１信号モジュール、第２信号モジュールは、それぞれ差動コネクタプラグの奇数層の信号モジュール、偶数層の信号モジュールから構成され、奇数層の信号モジュールの構造が同一であり、偶数層の信号モジュールの構造が同一である。
【００１０】
本発明の差動コネクタプラグの第５の観点として、本発明の差動コネクタプラグの第１〜４の観点のいずれに記載した差動コネクタプラグにおいて、同一の信号モジュール対で、少なくとも１つの第１差動対のうちの２つの第１差動対接触部品の両方と第２差動対接触部品とは、第１信号モジュール、第２信号モジュールの積層方向での投影に交差点を有する。
【００１１】
本発明の差動コネクタプラグの第６の観点として、本発明の差動コネクタプラグの第１〜４の観点のいずれに記載した差動コネクタプラグにおいて、同一の信号モジュール対で、少なくとも１つの第２差動対接触部品と２つ以上の第１差動対接触部品とは、第１信号モジュール、第２信号モジュールの積層方向での投影にそれぞれ交差点を有する。
【００１２】
本発明の差動コネクタプラグの第７の観点として、本発明の差動コネクタプラグの第１〜４の観点のいずれに記載した差動コネクタプラグにおいて、同一の信号モジュール対での第１差動対と第２差動対とは一対一に対応し、前記交差点は、対応する差動対の第１信号モジュール、第２信号モジュールの積層方向での投影に形成される。
【００１３】
本発明の差動コネクタプラグの第８の観点として、本発明の差動コネクタプラグの第１〜４の観点のいずれに記載した差動コネクタプラグにおいて、第１信号モジュール、第２信号モジュールの積層方向で、交差点を有する第１差動対接触部品、第２差動対接触部品の投影は、Ｘ形状に交差する。
【００１４】
本発明の差動コネクタプラグの第９の観点として、本発明の差動コネクタプラグの第１〜４の観点のいずれに記載した差動コネクタプラグにおいて、同一信号モジュール対の第１信号モジュール、第２信号モジュールにおける挿接端に近い先端部は、第１信号モジュール、第２信号モジュールの積層方向での投影に重なる部分を有し、および／または、同一信号モジュール対の第１信号モジュール、第２信号モジュールにおける挿接端から遠い末端部は、第１信号モジュール、第２信号モジュールの積層方向での投影に重なる部分を有する。
【００１５】
本発明の差動コネクタプラグの第１０の観点として、本発明の差動コネクタプラグの第１〜４の観点のいずれに記載した差動コネクタプラグにおいて、少なくとも１つの第１差動対の２つの第１差動対接触部品のうちの１つと、少なくとも１つの第２差動対の２つの第２差動対接触部品のうちの１つと、は、第１信号モジュール、第２信号モジュールの積層方向での投影に少なくとも２つの交差点を有する。
【００１６】
本発明の差動対配置構造の第１の観点として、２つの第１差動対接触部品を含む第１差動対と、２つの第２差動対接触部品を含む第２差動対と、が積層されている差動対配置構造において、２つの第１差動対接触部品のうちの少なくとも１つと、２つの第２差動対接触部品のうちの少なくとも１つと、は、第１信号モジュール、第２信号モジュールの積層方向での投影に交差点を有する。
【００１７】
本発明の差動対配置構造の第２の観点として、本発明の差動対配置構造の第１の観点に記載した差動対配置構造において、第１信号モジュール、第２信号モジュールの積層方向で、前記第１差動対と第２差動対の投影とは、Ｘ形状である。
【００１８】
本発明の差動対配置構造の第３の観点として、本発明の差動対配置構造の第１の観点に記載した差動対配置構造において、前記２つの第１差動対接触部品のうちの一方と、２つの第２差動対接触部品のうちの一方と、は、第１信号モジュール、第２信号モジュールの積層方向での投影に交差点を有し、２つの第１差動対接触部品のうちの他方と、２つの第２差動対接触部品のうちの他方と、は、第１信号モジュール、第２信号モジュールの積層方向での投影に交差点を有する。
【００１９】
本発明の差動対配置構造の第４の観点として、本発明の差動対配置構造の第１の観点に記載した差動対配置構造において、前記２つの第１差動対接触部品のうちの一方と、２つの第２差動対接触部品と、は、第１信号モジュール、第２信号モジュールの積層方向での投影にそれぞれ交差点を有し、２つの第１差動対接触部品のうちの他方と、２つの第２差動対接触部品のうちの１つと、は、第１信号モジュール、第２信号モジュールの積層方向での投影に交差点を有する。
【００２０】
本発明の差動対配置構造の第５の観点として、本発明の差動対配置構造の第１の観点に記載した差動対配置構造において、前記２つの第１差動対接触部品のうちの少なくとも一方と、１つの第２差動対接触部品と、は、第１信号モジュール、第２信号モジュールの積層方向での投影に少なくとも２つの交差点を有する。
【００２１】
本発明の差動コネクタの第１の観点として、差動コネクタソケットと、２つの差動対接触部品を含む差動対を含む信号モジュールが２つ以上積層されている差動コネクタプラグと、を含む作動コネクタにおいて、２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、少なくとも１つの信号モジュール対の第１信号モジュールと第２信号モジュールとは、第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たす。
【００２２】
本発明の差動コネクタの第２の観点として、本発明の差動コネクタの第１の観点に記載した差動コネクタにおいて、同一の信号モジュール対で、第１信号モジュール、第２信号モジュールは、隣接して設けられている。
【００２３】
本発明の差動コネクタの第３の観点として、本発明の差動コネクタの第２の観点に記載した差動コネクタにおいて、前記第１信号モジュール、第２信号モジュールは、交替して配置されている。
【００２４】
本発明の差動コネクタの第４の観点として、本発明の差動コネクタの第３の観点に記載した差動コネクタにおいて、前記第１信号モジュール、第２信号モジュールは、それぞれ差動コネクタプラグの奇数層の信号モジュール、偶数層の信号モジュールから構成され、奇数層の信号モジュールの構造が同一であり、偶数層の信号モジュールの構造が同一である。
【００２５】
本発明の差動コネクタの第５の観点として、本発明の差動コネクタの第１〜４の観点のいずれに記載した差動コネクタにおいて、同一の信号モジュール対で、少なくとも１つの第１差動対のうちの２つの第１差動対接触部品の両方と、第２差動対接触部品と、は、第１信号モジュール、第２信号モジュールの積層方向での投影に交差点を有する。
【００２６】
本発明の差動コネクタの第６の観点として、本発明の差動コネクタの第１〜４の観点のいずれに記載した差動コネクタにおいて、同一の信号モジュール対で、少なくとも１つの第２差動対接触部品と、２つ以上の第１差動対接触部品と、は、第１信号モジュール、第２信号モジュールの積層方向での投影にそれぞれ交差点を有する。
【００２７】
本発明の差動コネクタの第７の観点として、本発明の差動コネクタの第１〜４の観点のいずれに記載した差動コネクタにおいて、同一の信号モジュール対での第１差動対と第２差動対とは一対一に対応し、前記交差点は、対応する差動対の第１信号モジュール、第２信号モジュールの積層方向での投影に形成される。
【００２８】
本発明の差動コネクタの第８の観点として、本発明の差動コネクタの第１〜４の観点のいずれに記載した差動コネクタにおいて、第１信号モジュール、第２信号モジュールの積層方向で、交差点を有する第１差動対接触部品、第２差動対接触部品の投影は、Ｘ形状に交差する。
【００２９】
本発明の差動コネクタの第９の観点として、本発明の差動コネクタの第１〜４の観点のいずれに記載した差動コネクタにおいて、同一信号モジュール対の第１信号モジュール、第２信号モジュールにおける挿接端に近い先端部は、第１信号モジュール、第２信号モジュールの積層方向での投影に重なる部分を有し、および／または、同一信号モジュール対の第１信号モジュール、第２信号モジュールにおける挿接端から遠い末端部は、第１信号モジュール、第２信号モジュールの積層方向での投影に重なる部分を有する。
【００３０】
本発明の差動コネクタの第１０の観点として、本発明の差動コネクタの第１〜４の観点のいずれに記載した差動コネクタにおいて、少なくとも１つの第１差動対の２つの第１差動対接触部品のうちの１つと、少なくとも１つの第２差動対の２つの第２差動対接触部品のうちの１つと、は、第１信号モジュール、第２信号モジュールの積層方向での投影に少なくとも２つの交差点を有する。
【発明の効果】
【００３１】
本発明の差動コネクタプラグの少なくとも１つの信号モジュール対で、同一の信号モジュール対における２つの第１信号モジュール、第２信号モジュールは、第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たす。撚り対線による電磁遮断原理によると、第１信号モジュール、第２信号モジュールの差動対の信号伝送中に、第１差動対、第２差動対の積層方向での投影に交差点を有する差動対接触部品によって空間上２つの閉回路を形成する。干渉が存在する場合、干渉信号によって２つの回路で形成する磁場の方向が逆であり、２つの磁場が相殺する。第１信号モジュール、第２信号モジュールの積層方向での投影に交差点を有する差動対接触部品は、干渉信号に対し自己遮断をする。現在の差動コネクタプラグに比較し、本発明の差動コネクタプラグは、差動対が干渉信号を遮断することができ、現在の差動コネクタプラグが外部信号から干渉を受けやすいという問題を解決した。
【図面の簡単な説明】
【００３２】
【図１】図１は、本発明の差動コネクタプラグの具体的な実施形態１の構造図である。
【図２】図２は、本発明の差動コネクタプラグの具体的な実施形態１において、積層されている２つの信号モジュールの構造図である。
【図３】図３は、図２におけるＥ−Ｅ線の断面図である。
【図４】図４は、本発明の差動コネクタプラグの具体的な実施形態１において、同一の信号モジュール対の差動対と接地接触部品とが積層されている構造図である。
【図５】図５は、本発明の差動コネクタプラグの具体的な実施形態１において、同一の信号モジュール対の差動対と接地接触部品との構造図である。
【図６】図６は、干渉信号による平行線への干渉原理図である。
【図７】図７は、撚り対線による干渉信号遮断の原理図である。
【図８】図８は、本発明の差動コネクタプラグの具体的な実施形態１において、同一の信号モジュール対の単一の差動対接触部品による閉回路図である。
【図９】図９は、本発明の差動コネクタプラグの具体的な実施形態１において、同一の信号モジュール対の第１差動対と第２差動対とによる閉回路である。
【図１０】図１０は、本発明の差動コネクタプラグの具体的な実施形態２において、同一の信号モジュール対の一組の第１差動対と第２差動対との信号モジュール積層方向での投影図である。
【図１１】図１１は、本発明の差動コネクタプラグの具体的な実施形態３において、同一の信号モジュール対の１組の第１差動対と第２差動対との信号モジュール積層方向での投影図である。
【図１２】図１２は、本発明の差動コネクタプラグの具体的な実施形態５において、同一の信号モジュール対の２組の第１差動対と第２差動対との信号モジュール積層方向での投影図である。
【図１３】図１３は、本発明の差動コネクタプラグの具体的な実施形態６において、同一の信号モジュール対の２組の第１差動対と第２差動対との信号モジュール積層方向での投影図である。
【図１４】図１４は、本発明の差動コネクタプラグの具体的な実施形態９において、同一の信号モジュール対の１組の第１差動対と第２差動対との信号モジュール積層方向での投影図である。
【図１５】図１５は、本発明の差動コネクタプラグの具体的な実施形態１１において、同一の信号モジュール対の２組の第１差動対と第２差動対との信号モジュール積層方向での投影図である。
【発明を実施するための形態】
【００３３】
以下、図面を参照しながら本発明の実施形態をさらに説明する。
【００３４】
本発明の差動コネクタプラグの具体的な実施形態について、図１〜図５に示されているように、差動コネクタプラグは、前後方向に積層８個の信号モジュール１を含み、信号モジュール１が固定板２を介してプラグハウジング３に積層されている。信号モジュール１は、成形絶縁体１１を含む。成形絶縁体１１内に差動対１２と接地接触部品１３とが装着されている。接地接触部品１３と差動対１２とは、離間して配列する。各差動対１２は、その両側にある接地接触部品１３に挟まれている。各差動対は、２つの差動対接触部品を含む。図示のように、隣接する信号モジュールの差動対接触部品は、前後方向での投影がＸ形状に交差するように設けられている。
【００３５】
２つずつの信号モジュール１の組み合わせで信号モジュール対を形成し、同一の信号モジュール対の２つの信号モジュールのうちの一方で第１信号モジュールを構成し、他方で第２信号モジュールを構成する。第１信号モジュールは、４個の第１差動対を含み、第１差動対は、２つの第１差動対接触部品を含む。第２信号モジュールは、４個の第２差動対を含み、第２差動対は、２つの第２差動対接触部品を含む。本実施形態において、第１差動対と第２差動対とは、一対一に対応する。第１差動対と第２差動対とが一対一に対応することは、数が対応することを指すだけではなく、第２差動対に対する第１差動対の空間位置の対応も指す。本実施形態において、同一の信号モジュールの差動対は、差動対の配列方向に沿って四段に分けられ、同一の信号モジュールでの同一段の差動対が互いに対応する。隣接する２つの信号モジュール１では、一方が奇数層の信号モジュールであり、他方が偶数層の信号モジュールである。奇数層の信号モジュールは、第１信号モジュール１４を構成し、偶数層の信号モジュールは、第２信号モジュール１５を構成する。対応する第１差動対は、奇数層の信号モジュールの差動対で構成され、第２差動対は、偶数層の信号モジュールの差動対で構成される。第１差動対接触部品１４１は、奇数層の信号モジュールの差動対接触部品で構成され、第２差動対接触部品１５１は、偶数層の信号モジュールの差動対接触部品で構成される。本実施形態における信号モジュール対は、特定した２つの信号モジュールに限定されない。例えば、３つの隣接する信号モジュールで２つの信号モジュール対を構成することができ、中間の信号モジュールは、２つの信号モジュール対の共有信号モジュールである。他の実施形態において、信号モジュール対は、隣接する信号モジュールでなくてもよい。例えば、２つの奇数層の信号モジュールを備える信号モジュール対であってもよく、または、奇数層の信号モジュールと、隣接しない偶数層の信号モジュール対と、を備える信号モジュール対であってもよい。
【００３６】
図４に示されているように、同一の信号モジュール対の第１信号モジュール、第２信号モジュールにおける挿接端に近い先端部は、第１信号モジュール、第２信号モジュールの積層方向での投影に重なる部分を有し、同一の信号モジュール対の第１信号モジュール、第２信号モジュールにおける挿接端から遠い末端部は、第１信号モジュール、第２信号モジュールの積層方向での投影に重なる部分を有し、差動コネクタプラグの体積ができるだけ小さくされている。
【００３７】
本実施形態において、各信号モジュール対では、同一の信号モジュール対の第１信号モジュールと第２信号モジュールとは、図９に示されているように、第１信号モジュール、第２信号モジュールの積層方向で、第１差動対の２つの第１差動対接触部品のうちの一方と、対応する第２差動対の２つの第２差動対接触部品と、の投影にそれぞれ交差点を有することを満たす。第１差動対の２つの第１差動対接触部品のうちの他方と、対応する第２差動対の２つの第２差動対接触部品と、のうちの一方は、第１信号モジュール、第２信号モジュールの積層方向での投影に交差点を有する。交差点を有する第１、第２差動対接触部品は、ともにＸ形状に交差するように形成されている。
【００３８】
各奇数層の信号モジュールの接触部品は、構造が同一であり、信号モジュールの積層方向での投影が重なり合う。偶数層の信号モジュールの接触部品は、構造が同一であり、前後方向での投影が重なり合う。加工が便利に行われる。
【００３９】
図６は、干渉信号による平行線への干渉原理図である。干渉電流Ｉｓによってデュアルワイヤの２本の導線Ｌ１、Ｌ２で生じる干渉電流は、それぞれＩ１、Ｉ２である。Ｌ１が干渉源に近いため、Ｉ１＞Ｉ２、Ｉ＝Ｉ１−Ｉ２≠０であり、干渉電流が存在する。
【００４０】
撚り対線では、図７に示されているように、ツイスト回路の中心点位置で一回ツイストすることが図６とは異なる。Ｌ１に干渉電流Ｉ１１、Ｉ１２が存在し、Ｌ２に干渉電流Ｉ２１、Ｉ２２が存在し、干渉電流Ｉ＝Ｉ１１＋Ｉ２２−Ｉ２１−Ｉ１２である。両端の回路の条件が同一である場合、全体的な干渉電流Ｉ＝０となる。従って、ツイストピッチを合理的に設ければ、干渉を除去することができる。干渉電流Ｉｓによって空間回路ａと回路ｂとで同一の大きさで方向が逆な磁場を形成し、２つの回路の磁場が相殺する。
【００４１】
本発明の差動コネクタプラグの信号モジュールは、信号モジュールの積層方向に積層されている。隣接する信号モジュールの差動対は、前後方向での投影が交差する。第１信号モジュールの２つの第１差動対接触部品は、対応する第２信号モジュールの２つの第２差動対接触部品とは交差点を有する。撚り対線による電磁遮断原理によると、第１信号モジュール、第２信号モジュールの差動対の信号伝送中に、信号モジュールの積層方向での投影が交差する第１差動対接触部品、第２接触部品は、空間上２つの閉回路を形成する。干渉が存在する場合、干渉信号によって２つの回路で形成する磁場の方向が逆であり、２つの磁場が相殺する。信号モジュールの積層方向での投影が交差する第１差動対接触部品、第２接触部品は、干渉信号に対し自己遮断をする。
【００４２】
単一の第１差動対接触部品と単一の第２差動対接触部品とで形成する閉回路は、図８に示されているように、第１信号モジュール１４、第２信号モジュール接触部品１５が隣接して設けられ、第１差動対接触部品１４１、第２差動対接触部品１５１が交差して設けられ、信号伝送中に２つの閉じ空間回路を形成する。干渉が存在する場合、干渉信号によって２つの回路で形成する磁場の方向が逆であり、磁場が相殺する。
【００４３】
図９は、第１差動対と、対応する第２差動対と、の構造図である。第１差動対接触部品１４１、第１差動対接触部品１４２と、第２差動対接触部品１５２、第２差動対接触部品１５２と、は、第１信号モジュール、第２信号モジュールの積層方向での投影に交差点を有する。第１差動対接触部品１４１、第１差動対接触部品１４２は、第２差動対接触部品１５２とは空間上それぞれ交差し、第１信号モジュール、第２信号モジュールの積層方向での投影に交差点を有する。第１差動対接触部品１４１、第２差動対接触部品１５１は、第１信号モジュール、第２信号モジュールの積層方向での投影に交差点を有する。このように、信号伝送中に閉じ空間回路を形成する。図における陰影部分は、閉回路によって磁場が生じる部分である。隣接する信号モジュール接触部品は、交差して配列する。図では、接触部品１４１、１４２と接触部品１５２、１５２とは、対応する一対の差動対である。差動コネクタプラグ全体では、空間閉回路が複数形成される。
【００４４】
現在の差動コネクタでは遮断板の設置によって干渉信号の遮断を実現することに比較し、本発明の差動コネクタは、差動対の配置に頼って干渉信号を遮断し、構造が簡単である。他の実施形態において、差動コネクタの遮断効果をさらに強化するために、隣接する信号モジュールの間に遮断板を設けてもよい。
【００４５】
本発明の差動コネクタプラグの具体的な実施形態２において、図１０に示されているように、同一の信号モジュール対の１組の第１差動対と、第１差動対に対応する第２差動対と、で、２つの第１差動対接触部品のうちの第１差動対接触部品２４１と２つの第２差動対接触部品のうちの第２差動対接触部品２５１とが、第１信号モジュール、第２信号モジュールの積層方向での投影に交差点を有し、２つの第１差動対接触部品のうちの第１差動対接触部品２４２と２つの第２差動対接触部品のうちの第２差動対接触部品２５２とが、第１信号モジュール、第２信号モジュールの積層方向での投影に交差点を有するという点でのみ、上記実施形態１とは異なる。
【００４６】
本発明の差動コネクタプラグの具体的な実施形態３において、図１１に示されているように、同一の信号モジュール対の１組の第１差動対と、第１差動対に対応する第２差動対と、で、２つの第１差動対接触部品のうちの第１差動対接触部品３４１と２つの第２差動対接触部品３５１、３５２とが、第１信号モジュール、第２信号モジュールの積層方向での投影にそれぞれ交差点を有し、２つの第１差動対接触部品のうちの第１差動対接触部品３４２と２つの第２差動対接触部品３５１、３５２とも、第１信号モジュール、第２信号モジュールの積層方向での投影に交差点を有し、この場合第１差動対と第２差動対とが空間上Ｘ形状に交差するという点でのみ、上記実施形態１とは異なる。
【００４７】
本発明の差動コネクタプラグの具体的な実施形態４において、第１信号モジュール、第２信号モジュールの差動対の数が一対一に対応するという関係ではなく、第１差動対に２つの第２差動対が対応し、対応する第１差動対と第２差動対とが、信号モジュールの積層方向での投影にそれぞれ交差点を有するという点でのみ、上記実施形態１とは異なる。
【００４８】
本発明の差動コネクタプラグの具体的な実施形態５において、図１２に示されているように、第１信号モジュール、第２信号モジュールで、一対のみの対応する第１差動対の第１差動対接触部品５４１、５４２が、第２差動対の第２差動対接触部品５５１、５５２とは信号モジュールの積層方向での投影にそれぞれ交差点を有するという点でのみ、上記実施形態１とは異なる。
【００４９】
本発明の差動コネクタプラグの具体的な実施形態６において、図１３に示されているように、第１差動対の第１差動対接触部品６４１、６４２が、対応する第２差動対の第２差動対接触部品６５１、６５２とは交差点を有するほか、第１差動対の第１接触部品が、対応する第２差動対に隣接する別の第２差動対の第２接触部品６５３、６５４とも交差点を有するという点でのみ、上記実施形態１とは異なる。
【００５０】
本発明の差動コネクタプラグの具体的な実施形態７において、同一の信号モジュール対の第１信号モジュールと第２信号モジュールとが、隣接する信号モジュールではなく、離間した２つの信号モジュールであるという点でのみ、上記実施形態１とは異なる。
【００５１】
本発明の差動コネクタプラグの具体的な実施形態８において、同一の信号モジュール対の第１信号モジュール、第２信号モジュールにおける挿接端に近い先端部は、信号モジュールの積層方向での投影が互いにずらされ、同一の信号モジュール対の第１信号モジュール、第２信号モジュールにおける挿接端から遠い末端部は、信号モジュールの積層方向での投影が互いにずらされるという点でのみ、上記実施形態１とは異なる。
【００５２】
本発明の差動コネクタプラグの具体的な実施形態９において、図１４に示されているように、同一の信号モジュール対の第１差動対の第１差動対接触部品１０４１と、対応する第２差動対の第２差動対接触部品１０５１と、が、第１信号モジュール、第２信号モジュールの積層方向での投影の交差点が３つであり、第１差動対接触部品１０４２と、対応する第２差動対の第２差動対接触部品１０５２と、が、第１信号モジュール、第２信号モジュールの積層方向での投影の交差点が３つであるという点でのみ、上記実施形態１とは異なる。
【００５３】
本発明の差動コネクタプラグの具体的な実施形態１０において、上記実施形態１との相違点は、以下のみである。複数の第１差動対の２つの第１差動対接触部品のうちの１つと、１つの第２差動対の２つの第２差動対接触部品のうちの１つと、は、第１信号モジュール、第２信号モジュールの積層方向での投影の交差点が３つである。他の実施形態において、複数の第１差動対の２つの第１差動対接触部品のうちの１つと、複数の第２差動対の２つの第２差動対接触部品のうちの１つと、は、第１信号モジュール、第２信号モジュールの積層方向での投影に３つの交差点を有してもよく、１つの第１差動対の２つの第１差動対接触部品のうちの１つと、複数の第２差動対の２つの第２差動対接触部品のうちの１つと、は、第１信号モジュール、第２信号モジュールの積層方向での投影に３つの交差点を有してもよい。
【００５４】
本発明の差動コネクタプラグの具体的な実施形態１１において、図１５に示されているように、同一の信号モジュール対で、２つの第１差動対は、２つの第２差動対と空間上それぞれ交差し、第１差動対接触部品１２４１、１２４２、１２４３、１２４４は、第２差動対接触部品１２５１、１２５２、１２５３、１２５４とは信号モジュールの積層方向での投影に交差点を有するという点でのみ、上記実施形態１とは異なる。
【００５５】
本発明の差動コネクタの具体的な実施形態について、差動コネクタは、差動コネクタプラグと差動コネクタソケットとを含み、差動コネクタプラグの構造が上記差動コネクタプラグの具体的な実施形態１〜１１のいずれか１つに記載した差動コネクタプラグの構造とは同一であり、繰り返して記載しない。
【００５６】
本発明の差動対配置構造の具体的な実施形態について、差動対配置構造は、積層されている第１差動対と第２差動対とを含み、第１差動対、第２差動対は、上記差動コネクタプラグの具体的な実施形態１〜１１のいずれか１つに記載した差動コネクタプラグの任意の１組の第１差動対、第２差動対の構造とは同一であり、繰り返して記載しない。
【００５７】
本発明の差動コネクタおよびその差動対配置構造ならびに差動コネクタプラグのほかの実施形態において、上記対応して隣接する差動対接触部品の交差点は、２つを有してもよい。この場合、差動対接触部品の湾曲度合いを変更する必要がある。上記信号モジュールの隣接する２つの信号モジュールは、すべて奇数層の信号モジュールであってもよく、または、すべて偶数層の信号モジュールであってもよい。この場合、隣接する奇数層の信号モジュールまたは偶数層の信号モジュールの差動対は、前後方向での投影に交差する。差動コネクタの遮断効果を強化するために、隣接する信号モジュールの間に遮断板を設けてもよい。
【００５８】
上記実施形態に記載したものは、単に典型的な差動対接触部品の配列方式の具体的な説明に過ぎない。撚り対線による電磁遮断の原理に基づき、異なる配列方式で差動コネクタプラグの自己遮断を実現することは、上記実施形態に記載した方式に限定されない。差動コネクタプラグの自己遮断の目的を実現するために、撚り対線による電磁遮断原理を利用した差動対接触部品の配列方式の全ては、いずれも本発明の特許請求の範囲内にある。
【００５９】
（付記）
（付記１）
２つの差動対接触部品を含む差動対を含む信号モジュールが２つ以上積層されている差動コネクタプラグにおいて、
２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、
少なくとも１つの信号モジュール対の第１信号モジュールと第２信号モジュールとは、
第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たすことを特徴とする差動コネクタプラグ。
【００６０】
（付記２）
同一の信号モジュール対で、第１信号モジュールと第２信号モジュールとは、隣接して設けられている、
ことを特徴とする付記１に記載の差動コネクタプラグ。
【００６１】
（付記３）
前記第１信号モジュール、第２信号モジュールは、交替して配置されている、
ことを特徴とする付記２に記載の差動コネクタプラグ。
【００６２】
（付記４）
前記第１信号モジュール、第２信号モジュールは、それぞれ差動コネクタプラグの奇数層の信号モジュール、偶数層の信号モジュールから構成され、
奇数層の信号モジュールの構造が同一であり、偶数層の信号モジュールの構造が同一である、
ことを特徴とする付記３に記載の差動コネクタプラグ。
【００６３】
（付記５）
同一の信号モジュール対で、少なくとも１つの第１差動対のうちの２つの第１差動対接触部品の両方と、第２差動対接触部品と、は、第１信号モジュール、第２信号モジュールの積層方向での投影に交差点を有する、
ことを特徴とする付記１〜４のいずれか１つに記載の差動コネクタプラグ。
【００６４】
（付記６）
同一の信号モジュール対で、少なくとも１つの第２差動対接触部品と２つ以上の第１差動対接触部品とは、第１信号モジュール、第２信号モジュールの積層方向での投影にそれぞれ交差点を有する、
ことを特徴とする付記１〜４のいずれか１つに記載の差動コネクタプラグ。
【００６５】
（付記７）
同一の信号モジュール対での第１差動対と第２差動対とは一対一に対応し、
前記交差点は、対応する差動対の第１信号モジュール、第２信号モジュールの積層方向での投影に形成される、
ことを特徴とする付記１〜４のいずれか１つに記載の差動コネクタプラグ。
【００６６】
（付記８）
第１信号モジュール、第２信号モジュールの積層方向で、交差点を有する第１差動対接触部品、第２差動対接触部品の投影は、Ｘ形状に交差する、
ことを特徴とする付記１〜４のいずれか１つに記載の差動コネクタプラグ。
【００６７】
（付記９）
同一信号モジュール対の第１信号モジュール、第２信号モジュールにおける挿接端に近い先端部は、第１信号モジュール、第２信号モジュールの積層方向での投影に重なる部分を有し、および／または、同一信号モジュール対の第１信号モジュール、第２信号モジュールにおける挿接端から遠い末端部は、第１信号モジュール、第２信号モジュールの積層方向での投影に重なる部分を有する、
ことを特徴とする付記１〜４のいずれか１つに記載の差動コネクタプラグ。
【００６８】
（付記１０）
同一の信号モジュール対で、少なくとも１つの第１差動対の２つの第１差動対接触部品のうちの１つと、少なくとも１つの第２差動対の２つの第２差動対接触部品のうちの１つと、は、第１信号モジュール、第２信号モジュールの積層方向での投影に少なくとも２つの交差点を有する、
ことを特徴とする付記１〜４のいずれか１つに記載の差動コネクタプラグ。
【００６９】
（付記１１）
２つの第１差動対接触部品を含む第１差動対と、２つの第２差動対接触部品を含む第２差動対と、が積層されている差動対配置構造において、
２つの第１差動対接触部品のうちの少なくとも１つと、２つの第２差動対接触部品のうちの少なくとも１つと、は、第１信号モジュール、第２信号モジュールの積層方向での投影に交差点を有する、
ことを特徴とする差動対配置構造。
【００７０】
（付記１２）
前記２つの第１差動対接触部品のうちの一方と、２つの第２差動対接触部品のうちの一方と、は、第１信号モジュール、第２信号モジュールの積層方向での投影に交差点を有し、２つの第１差動対接触部品のうちの他方と、２つの第２差動対接触部品のうちの他方と、は、第１信号モジュール、第２信号モジュールの積層方向での投影に交差点を有する、
ことを特徴とする付記１１に記載の差動対配置構造。
【００７１】
（付記１３）
第１信号モジュール、第２信号モジュールの積層方向で、前記第１差動対と第２差動対との投影は、Ｘ形状である、
ことを特徴とする付記１１に記載の差動対配置構造。
【００７２】
（付記１４）
前記２つの第１差動対接触部品のうちの一方と、２つの第２差動対接触部品と、は、第１信号モジュール、第２信号モジュールの積層方向での投影にそれぞれ交差点を有し、２つの第１差動対接触部品のうちの他方と、２つの第２差動対接触部品のうちの１つと、は、第１信号モジュール、第２信号モジュールの積層方向での投影に交差点を有する、
ことを特徴とする付記１１に記載の差動対配置構造。
【００７３】
（付記１５）
前記２つの第１差動対接触部品のうちの少なくとも一方と、１つの第２差動対接触部品と、は、第１信号モジュール、第２信号モジュールの積層方向での投影に少なくとも２つの交差点を有する、
ことを特徴とする付記１１に記載の差動対配置構造。
【００７４】
（付記１６）
差動コネクタソケットと、２つの差動対接触部品を含む差動対を含む信号モジュールが２つ以上積層されている差動コネクタプラグと、を含む差動コネクタにおいて、
２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、
少なくとも１つの信号モジュール対の第１信号モジュールと第２信号モジュールとは、第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たす、
ことを特徴とする差動コネクタ。
【００７５】
（付記１７）
同一の信号モジュール対で、第１信号モジュールと第２信号モジュールとは、隣接して設けられている、
ことを特徴とする付記１６に記載の差動コネクタ。
【００７６】
（付記１８）
前記第１信号モジュール、第２信号モジュールは、交替して配置されている、
ことを特徴とする付記１７に記載の差動コネクタ。
【００７７】
（付記１９）
前記第１信号モジュール、第２信号モジュールは、それぞれ差動コネクタプラグの奇数層の信号モジュール、偶数層の信号モジュールから構成され、
奇数層の信号モジュールの構造が同一であり、偶数層の信号モジュールの構造が同一である、
ことを特徴とする付記１８に記載の差動コネクタ。
【００７８】
（付記２０）
同一の信号モジュール対で、少なくとも１つの第１差動対のうちの２つの第１差動対接触部品の両方と、第２差動対接触部品と、は、第１信号モジュール、第２信号モジュールの積層方向での投影に交差点を有する、
ことを特徴とする付記１６〜１９のいずれか１つに記載の差動コネクタ。
【００７９】
（付記２１）
同一の信号モジュール対で、少なくとも１つの第２差動対接触部品と、２つ以上の第１差動対接触部品と、は、第１信号モジュール、第２信号モジュールの積層方向での投影にそれぞれ交差点を有する、
ことを特徴とする付記１６〜１９のいずれか１つに記載の差動コネクタ。
【００８０】
（付記２２）
同一の信号モジュール対での第１差動対と第２差動対とは一対一に対応し、
前記交差点は、対応する差動対の第１信号モジュール、第２信号モジュールの積層方向での投影に形成される、
ことを特徴とする付記１６〜１９のいずれか１つに記載の差動コネクタ。
【００８１】
（付記２３）
第１信号モジュール、第２信号モジュールの積層方向で、交差点を有する第１差動対接触部品、第２差動対接触部品の投影は、Ｘ形状に交差する、
ことを特徴とする付記１６〜１９のいずれか１つに記載の差動コネクタ。
【００８２】
（付記２４）
同一信号モジュール対の第１信号モジュール、第２信号モジュールにおける挿接端に近い先端部は、第１信号モジュール、第２信号モジュールの積層方向での投影に重なる部分を有し、および／または、同一信号モジュール対の第１信号モジュール、第２信号モジュールにおける挿接端から遠い末端部は、第１信号モジュール、第２信号モジュールの積層方向での投影に重なる部分を有する、
ことを特徴とする付記１６〜１９のいずれか１つに記載の差動コネクタ。
【００８３】
（付記２５）
同一の信号モジュール対で、少なくとも１つの第１差動対の２つの第１差動対接触部品のうちの１つと、少なくとも１つの第２差動対の２つの第２差動対接触部品のうちの１つと、は、第１信号モジュール、第２信号モジュールの積層方向での投影に少なくとも２つの交差点を有する、
ことを特徴とする付記１６〜１９のいずれか１つに記載の差動コネクタ。
【図１】
2019517101.tif 000003
【図２】
2019517101.tif 000004
【図３】
2019517101.tif 000005
【図４】
2019517101.tif 000006
【図５】
2019517101.tif 000007
【図６】
2019517101.tif 000008
【図７】
2019517101.tif 000009
【図８】
2019517101.tif 000010
【図９】
2019517101.tif 000011
【図１０】
2019517101.tif 000012
【図１１】
2019517101.tif 000013
【図１２】
2019517101.tif 000014
【図１３】
2019517101.tif 000015
【図１４】
2019517101.tif 000016
【図１５】
2019517101.tif 000017
【手続補正書】
【提出日】平成30年11月5日(2018.11.5)
【手続補正１】
【補正対象書類名】明細書
【補正対象項目名】００３５
【補正方法】変更
【補正の内容】
【００３５】
２つずつの信号モジュール１の組み合わせで信号モジュール対を形成し、同一の信号モジュール対の２つの信号モジュールのうちの一方で第１信号モジュールを構成し、他方で第２信号モジュールを構成する。第１信号モジュールは、４個の第１差動対を含み、第１差動対は、２つの第１差動対接触部品を含む。第２信号モジュールは、４個の第２差動対を含み、第２差動対は、２つの第２差動対接触部品を含む。本実施形態において、第１差動対と第２差動対とは、一対一に対応する。第１差動対と第２差動対とが一対一に対応することは、数が対応することを指すだけではなく、第２差動対に対する第１差動対の空間位置の対応も指す。本実施形態において、同一の信号モジュールの差動対は、差動対の配列方向に沿って四段に分けられ、同一の信号モジュールでの同一段の差動対が互いに対応する。隣接する２つの信号モジュール１では、一方が奇数層の信号モジュールであり、他方が偶数層の信号モジュールである。奇数層の信号モジュールは、第１信号モジュール１４を構成し、偶数層の信号モジュールは、第２信号モジュール１５を構成する。対応する第１差動対は、奇数層の信号モジュールの差動対で構成され、第２差動対は、偶数層の信号モジュールの差動対で構成される。第１差動対接触部品１４１は、奇数層の信号モジュールの差動対接触部品で構成され、第２差動対接触部品１５１は、偶数層の信号モジュールの差動対接触部品で構成される。本実施形態における信号モジュール対は、特定した２つの信号モジュールに限定されない。例えば、３つの隣接する信号モジュールで２つの信号モジュール対を構成することができ、中間の信号モジュールは、２つの信号モジュール対の共有信号モジュールである。他の実施形態において、信号モジュール対は、隣接する信号モジュールでなくてもよい。例えば、２つの奇数層の信号モジュールを備える信号モジュール対であってもよく、または、奇数層の信号モジュールと、隣接しない偶数層の信号モジュールと、を備える信号モジュール対であってもよい。
【手続補正２】
【補正対象書類名】明細書
【補正対象項目名】００４１
【補正方法】変更
【補正の内容】
【００４１】
本発明の差動コネクタプラグの信号モジュールは、信号モジュールの積層方向に積層されている。隣接する信号モジュールの差動対は、前後方向での投影が交差する。第１信号モジュールの２つの第１差動対接触部品は、対応する第２信号モジュールの２つの第２差動対接触部品とは交差点を有する。撚り対線による電磁遮断原理によると、第１信号モジュール、第２信号モジュールの差動対の信号伝送中に、信号モジュールの積層方向での投影が交差する第１差動対接触部品、第２差動対接触部品は、空間上２つの閉回路を形成する。干渉が存在する場合、干渉信号によって２つの回路で形成する磁場の方向が逆であり、２つの磁場が相殺する。信号モジュールの積層方向での投影が交差する第１差動対接触部品、第２差動対接触部品は、干渉信号に対し自己遮断をする。
【手続補正３】
【補正対象書類名】明細書
【補正対象項目名】００４２
【補正方法】変更
【補正の内容】
【００４２】
単一の第１差動対接触部品と単一の第２差動対接触部品とで形成する閉回路は、図８に示されているように、第１信号モジュール１４、第２信号モジュール１５が隣接して設けられ、第１差動対接触部品１４１、第２差動対接触部品１５１が交差して設けられ、信号伝送中に２つの閉じ空間回路を形成する。干渉が存在する場合、干渉信号によって２つの回路で形成する磁場の方向が逆であり、磁場が相殺する。
【手続補正４】
【補正対象書類名】明細書
【補正対象項目名】００４３
【補正方法】変更
【補正の内容】
【００４３】
図９は、第１差動対と、対応する第２差動対と、の構造図である。第１差動対接触部品１４１、第１差動対接触部品１４２と、第２差動対接触部品１５１、第２差動対接触部品１５２と、は、第１信号モジュール、第２信号モジュールの積層方向での投影に交差点を有する。第１差動対接触部品１４１、第１差動対接触部品１４２は、第２差動対接触部品１５２とは空間上それぞれ交差し、第１信号モジュール、第２信号モジュールの積層方向での投影に交差点を有する。第１差動対接触部品１４１、第２差動対接触部品１５１は、第１信号モジュール、第２信号モジュールの積層方向での投影に交差点を有する。このように、信号伝送中に閉じ空間回路を形成する。図における陰影部分は、閉回路によって磁場が生じる部分である。隣接する信号モジュール接触部品は、交差して配列する。図では、接触部品１４１、１４２と接触部品１５１、１５２とは、対応する一対の差動対である。差動コネクタプラグ全体では、空間閉回路が複数形成される。
【手続補正５】
【補正対象書類名】明細書
【補正対象項目名】００４９
【補正方法】変更
【補正の内容】
【００４９】
本発明の差動コネクタプラグの具体的な実施形態６において、図１３に示されているように、第１差動対の第１差動対接触部品６４１、６４２が、対応する第２差動対の第２差動対接触部品６５１、６５２とは交差点を有するほか、第１差動対の第１差動対接触部品が、対応する第２差動対に隣接する別の第２差動対の第２差動対接触部品６５３、６５４とも交差点を有するという点でのみ、上記実施形態１とは異なる。
【手続補正６】
【補正対象書類名】特許請求の範囲
【補正対象項目名】全文
【補正方法】変更
【補正の内容】
【特許請求の範囲】
【請求項１】
２つの差動対接触部品を含む差動対を含む信号モジュールが２つ以上積層されている差動コネクタプラグにおいて、
２つずつの前記信号モジュールの組み合わせで信号モジュール対を形成し、同一の信号モジュール対の２つの信号モジュールのうちの一方で第１信号モジュールを構成し、他方で第２信号モジュールを構成し、前記第１信号モジュールの少なくとも１つの差動対が第１差動対であり、第１差動対の差動対接触部品が第１差動対接触部品であり、前記第２信号モジュールの少なくとも１つの差動対が第２差動対であり、第２差動体の差動対接触部品が第２差動対接触部品であり、
少なくとも１つの信号モジュール対の第１信号モジュールと第２信号モジュールとは、
第１信号モジュール、第２信号モジュールの積層方向で、少なくとも１つの第１差動対の２つの第１差動対接触部品のうちの少なくとも１つと、少なくとも１つの第２差動対の２つの第２差動対接触部品のうちの少なくとも１つと、の投影に交差点を有することを満たすことを特徴とする差動コネクタプラグ。
【請求項２】
同一の信号モジュール対で、第１信号モジュールと第２信号モジュールとは、隣接して設けられている、
ことを特徴とする請求項１に記載の差動コネクタプラグ。
【請求項３】
前記第１信号モジュール、第２信号モジュールは、交替して配置されている、
ことを特徴とする請求項２に記載の差動コネクタプラグ。
【請求項４】
前記第１信号モジュール、第２信号モジュールは、それぞれ差動コネクタプラグの奇数層の信号モジュール、偶数層の信号モジュールから構成され、
奇数層の信号モジュールの構造が同一であり、偶数層の信号モジュールの構造が同一である、
ことを特徴とする請求項３に記載の差動コネクタプラグ。
【請求項５】
第１信号モジュール、第２信号モジュールの積層方向で、交差点を有する第１差動対接触部品、第２差動対接触部品の投影は、Ｘ形状に交差する、
ことを特徴とする請求項１〜４のいずれか１項に記載の差動コネクタプラグ。
【請求項６】
２つの第１差動対接触部品を含む第１差動対と、２つの第２差動対接触部品を含む第２差動対と、が積層されている差動対配置構造において、
２つの第１差動対接触部品のうちの少なくとも１つと、２つの第２差動対接触部品のうちの少なくとも１つと、は、第１信号モジュール、第２信号モジュールの積層方向での投影に交差点を有する、
ことを特徴とする差動対配置構造。
【請求項７】
差動コネクタソケットと、差動コネクタプラグと、を含む差動コネクタにおいて、
前記差動コネクタプラグは請求項１〜５のいずれか１項に記載の差動コネクタプラグである、
ことを特徴とする差動コネクタ。
【国際調査報告】
2019517101.tif 000018
2019517101.tif 000019
2019517101.tif 000020
2019517101.tif 000021